(57)【特許請求の範囲】
【請求項１】
（Ａ）色材（ａ１）、分散剤及び分散溶媒を含む顔料分散組成物と、（Ｂ）アルカリ可溶性樹脂と、（Ｃ）光重合性化合物と、（Ｄ）光重合開始剤と、（Ｅ）溶剤とを含み、
前記色材（ａ１）は、青色（blue）顔料４０〜７０重量％、赤色（red）顔料１０〜４０重量％、黄色（yellow）顔料１０〜３０重量％、及び黒色顔料０超過５重量％以下のみで構成されることを特徴とする、赤外線透過感光性樹脂組成物。
【請求項２】
前記色材（ａ１）は、固形分を基準として、組成物の全重量に対して４０〜７０重量％で含まれる、請求項１に記載の赤外線透過感光性樹脂組成物。
【請求項３】
前記青色顔料は、Ｃ．Ｉ．ピグメントブルー１５：３、１５：４、１５：６、１６、２１、２８、６０、６４及び７６からなる群より選ばれる１種以上であり、
前記赤色顔料は、Ｃ．Ｉ．ピグメントレッド９、９７、１０５、１２２、１２３、１４４、１４９、１６６、１６８、１７６、１７７、１７９、１８０、１９２、２１５、２１６、２２４、２４２、２５４、２５５及び２６４からなる群より選ばれる１種以上であり、
前記黄色顔料は、Ｃ．Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３、１８０及び１８５からなる群より選ばれる１種以上である、請求項１または２に記載の赤外線透過感光性樹脂組成物。
【請求項４】
請求項１〜３のいずれか１項に記載の赤外線透過感光性樹脂組成物から製造された赤外線透過画素。
【請求項５】
波長３９０ｎｍにおける透過率が１０％以下であり、波長６５０ｎｍにおける透過率が４０％以下であり、波長７２０ｎｍから１１００ｎｍまでの領域における透過率が９０％以上である、請求項４に記載の赤外線透過画素。
【請求項６】
請求項４または５に記載の赤外線透過画素を含むカラーフィルタアレイ。
【請求項７】
請求項６に記載のカラーフィルタアレイを含むイメージセンサ。
【発明の詳細な説明】
【技術分野】
【０００１】
本発明は、赤外線透過感光性樹脂組成物に関し、より詳しくは、赤外線透過率が高く、かつ可視光透過率が低い赤外線透過画素を形成できる赤外線透過感光性樹脂組成物に関する。
【背景技術】
【０００２】
一般に、イメージセンサは、光学画像を電気的な信号に変換する半導体素子である。イメージセンサには、ＣＣＤ（Charge Coupled Device）イメージセンサと、ＣＭＯＳ（Complementary Metal Oxide Semiconductor）イメージセンサがある。
【０００３】
このうち、前記ＣＭＯＳイメージセンサは、ＣＭＯＳ製造技術を用いるため低消費電力を実現できるとともに、集積化に有利であり、製品の小型化が可能である。このことから、前記ＣＭＯＳイメージセンサは、デジタル静止カメラ、デジタルビデオカメラ等に用いられている。
【０００４】
前記ＣＭＯＳイメージセンサの一般的な構造は次の通りである。まず、シリコン基板にフォトダイオード、層間絶縁膜、金属配線及び金属層間絶縁膜、パッシベーション層、カラーフィルタアレイ、マイクロレンズ等を形成して構成される。ここで、カラーフィルタアレイは、色画素Ｒ、Ｇ、Ｂ又は色画素Ｃ、Ｍ、Ｙ等を意味する。
【０００５】
ところが、通常のカラーフィルタアレイは、可視光領域のみを透過してカラー画像を得ることができるが、近年、カラーフィルタアレイを構成する単位画素の大きさが減少するにつれて、単位面積当たりの受け入れ可能な光の量も減少し、光量が不十分な環境では優れた画質の写真を得にくい欠点がある。
【０００６】
これに対し、赤外線透過画素を既存の色画素（Ｒ、Ｇ、Ｂ又はＣ、Ｍ、Ｙ）に追加すると、光量が不十分な場合、赤外線画像を得て、それを既存の可視光画像と合成することにより、光量が不十分な状況でも優れた画質の画像が得られるとともに、それを事物との距離情報に変換して３次元画像を取得できる利点がある。
【０００７】
一方、韓国公開特許第２０１３−００７０９６１号は、赤外線領域で透過率を有するブラックマトリックス組成物を記載しているが、カーボンブラックを含有しているため、赤外線領域における透過率が不十分な欠点がある。
【先行技術文献】
【特許文献】
【０００８】
【特許文献１】韓国公開特許第２０１３−００７０９６１号公報
【発明の概要】
【発明が解決しようとする課題】
【０００９】
本発明は、赤外線領域で高い透過率を示す赤外線透過画素を形成できる感光性樹脂組成物を提供することを目的とする。
【００１０】
また、本発明は、前記組成物から形成された赤外線透過画素を提供することを目的とする。
【００１１】
さらに、本発明は、前記赤外線透過画素を含むことで、光量が不十分な状況でも優れた画質の画像を得ることができ、それを事物との距離情報に変換して３次元画像を取得できるイメージセンサを提供することを目的とする。
【課題を解決するための手段】
【００１２】
１．（Ａ）色材（ａ１）を含む顔料分散組成物、（Ｂ）アルカリ可溶性樹脂、（Ｃ）光重合性化合物、（Ｄ）光重合開始剤、及び（Ｅ）溶剤を含み、
前記色材（ａ１）は、青色（blue）顔料、赤色（red）顔料及び黄色（yellow）顔料を含む、赤外線透過感光性樹脂組成物。
【００１３】
２．前記項目１において、前記色材（ａ１）は、前記青色（blue）顔料、前記赤色（red）顔料及び前記黄色（yellow）顔料をそれぞれ１０〜７０重量％で含む、赤外線透過感光性樹脂組成物。
【００１４】
３．前記項目１において、前記色材（ａ１）は、前記青色（blue）顔料４０〜７０重量％、前記赤色（red）顔料１０〜４０重量％、及び前記黄色（yellow）顔料１０〜３０重量％を含む、赤外線透過感光性樹脂組成物。
【００１５】
４．前記項目１において、前記色材（ａ１）は、黒色顔料を５重量％以下で含む、赤外線透過感光性樹脂組成物。
【００１６】
５．前記項目１において、前記色材（ａ１）は、固形分を基準とし、組成物の全重量に対して４０〜７０重量％で含まれる、赤外線透過感光性樹脂組成物。
【００１７】
６．前記項目１において、
前記青色顔料は、Ｃ．Ｉ．ピグメントブルー１５：３、１５：４、１５：６、１６、２１、２８、６０、６４及び７６からなる群より選ばれる１種以上であり、  
前記赤色顔料は、Ｃ．Ｉ．ピグメントレッド９、９７、１０５、１２２、１２３、１４４、１４９、１６６、１６８、１７６、１７７、１７９、１８０、１９２、２１５、２１６、２２４、２４２、２５４、２５５及び２６４からなる群より選ばれる１種以上であり、
前記黄色顔料は、Ｃ．Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３、１８０及び１８５からなる群より選ばれる１種以上である、赤外線透過感光性樹脂組成物。
【００１８】
７．前記項目１において、
固形分の全重量に対して、（Ａ）前記顔料分散組成物１０〜８０重量％、（Ｂ）前記アルカリ可溶性樹脂１０〜８０重量％、（Ｃ）前記光重合性化合物５〜４５重量％、及び（Ｄ）前記光重合開始剤０.１〜４０重量％を含み、
前記固形分１００重量部に対して（Ｅ）前記溶剤１００〜３００重量部を含む、赤外線透過感光性樹脂組成物。
【００１９】
８．（Ａ）色材（ａ１）を含む顔料分散組成物、（Ｂ）アルカリ可溶性樹脂、（Ｃ）光重合性化合物、（Ｄ）光重合開始剤、及び（Ｅ）溶剤を含み、
前記色材（ａ１）は、青色（blue）顔料、赤色（red）顔料及び黄色（yellow）顔料を含み、黒色顔料を５重量％以下で含む、赤外線透過感光性樹脂組成物。
【００２０】
９．前記項目１〜８のいずれか一つに記載の赤外線透過感光性樹脂組成物から製造された赤外線透過画素。
【００２１】
１０．前記項目９において、厚さが１μｍのとき、波長３９０ｎｍにおける透過率が１０％以下であり、波長６５０ｎｍにおける透過率が４０％以下であり、波長７２０ｎｍから１１００ｎｍまでの領域における透過率が９０％以上である、赤外線透過画素。
【００２２】
１１．前記項目９に記載の赤外線透過画素を含むカラーフィルタアレイ。
【００２３】
１２．前記項目１１に記載のカラーフィルタアレイを含むイメージセンサ。
【発明の効果】
【００２４】
本発明の感光性樹脂組成物によると、可視光線領域では非常に低い透過率を有し、かつ赤外線領域では高い透過率を示す赤外線透過画素を形成することができる。
【００２５】
また、本発明の感光性樹脂組成物から製造された赤外線透過画素は、イメージセンサに適用された場合、可視光線透過率は低くてカラー画像の形成には影響しないとともに、赤外線透過率は高くて光量が不十分な環境でも優れた画質の画像を得ることができる。
【００２６】
さらに、本発明の感光性樹脂組成物によると、直線性に優れ、残渣が生じないパターンを製造することができる。
【図面の簡単な説明】
【００２７】
【図１】図１は、実施例３及び比較例３の感光性樹脂組成物から形成したパターンの波長別の光透過率を示すものである。
【発明を実施するための形態】
【００２８】
本発明は、（Ａ）色材（ａ１）を含む顔料分散組成物、（Ｂ）アルカリ可溶性樹脂、（Ｃ）光重合性化合物、（Ｄ）光重合開始剤、及び（Ｅ）溶剤を含み、前記色材（ａ１）は、青色（blue）顔料、赤色（red）顔料及び黄色（yellow）顔料を含むことにより、可視光線領域では非常に低い透過率を有し、かつ赤外線領域では高い透過率を示す赤外線透過画素を形成し、光量が不十分な環境でも優れた画質の画像を得るイメージセンサに活用できるようにする赤外線透過感光性樹脂組成物に関する。
【００２９】
以下、本発明を詳しく説明する。
【００３０】
（Ａ）顔料分散組成物
顔料分散組成物（Ａ）は、色材（ａ１）を含む。
【００３１】
色材（ａ１）は、赤外線透過機能を行うための顔料であり、本発明による色材（ａ１）は、青色（blue）顔料、赤色（red）顔料及び黄色（yellow）顔料を含み、黒色顔料を５重量％以下で含むことができる。
【００３２】
青色顔料、赤色顔料及び黄色顔料を全て含まない場合は、可視光透過率が高くなり、生成したパターンが色を呈するようになるので、赤外線透過画素としての使用が不可である。
【００３３】
前記顔料としては、具体的には、色指数（The society of Dyers and Colourists出版）でピグメントに分類されている化合物が挙げられる。より具体的には、以下のような色指数（Ｃ．Ｉ．）番号の顔料が挙げられるが、必ずしもこれらに限定されるものではない。
【００３４】
青色顔料としては、Ｃ．Ｉ．ピグメントブルー１５（１５：３、１５：４、１５：６等）、１６、２１、２８、６０、６４、７６等が挙げられる。
【００３５】
赤色顔料としては、Ｃ．Ｉ．ピグメントレッド９、９７、１０５、１２２、１２３、１４４、１４９、１６６、１６８、１７６、１７７、１７９、１８０、１９２、２１５、２１６、２２４、２４２、２５４、２５５、２６４等が挙げられる。
【００３６】
黄色顔料としては、Ｃ.Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３、１８０、１８５等が挙げられる。これらは単独に又は２種以上混合して用いることができる。
【００３７】
好ましくは、青色顔料としては、Ｃ．Ｉ．ピグメントブルー１５：６、ピグメントブルー１６、ピグメントブルー６０等が使用できる。
赤色顔料としては、Ｃ．Ｉ．ピグメントレッド１４９、Ｃ．Ｉ．ピグメントレッド１７７、Ｃ．Ｉ．ピグメントレッド１７９、Ｃ．Ｉ．ピグメントレッド２４２、Ｃ．Ｉ．ピグメントレッド２５４、Ｃ．Ｉ．ピグメントレッド２５５等が使用できる。
黄色顔料としては、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８５等が使用できる。これらは単独に又は２種以上混合して用いることができる。
【００３８】
本発明による色材（ａ１）は、青色顔料、赤色顔料及び黄色顔料をそれぞれ１０〜７０重量％で含むことができる。それぞれの含量が前記範囲内であると、非常に低い可視光線透過率を有し、かつ高い赤外線透過率を示す赤外線透過画素を形成できる。このような観点から、より好ましくは、青色（blue）顔料４０〜７０重量％、赤色（red）顔料１０〜４０重量％、及び黄色（yellow）顔料１０〜３０重量％を含むことができ、最も好ましくは、青色（blue）顔料５０〜７０重量％、赤色（red）顔料１０〜３０重量％、及び黄色（yellow）顔料１０〜３０重量％を含むことができる。
【００３９】
本発明による色材は、パターンの直線性の改善、残渣の抑制、及び赤外線透過率の改善のために、黒色顔料を含まないことが好ましい。ただし、色材の全重量に対し５重量％以下の少量で含むことは可能であるが、前記の問題点を抑える点で黒色顔料を全く含まないことが最も好ましい。
【００４０】
本発明による色材（ａ１）は、本発明の目的を損なわない範囲内で、当分野で通常用いられる有機顔料、無機顔料、染料等をさらに含むことができる。
【００４１】
有機顔料としては、印刷インキ、インクジェットインキ等に用いられる各種の顔料を用いることができる。具体的には、水溶性アゾ顔料、不溶性アゾ顔料、フタロシアニン顔料、キナクリドン顔料、イソインドリノン顔料、イソインドリン顔料、ペリレン顔料、ペリノン顔料、ジオキサジン顔料、アントラキノン顔料、ジアントラキノニル顔料、アントラピリミジン顔料、アンタントロン（anthanthrone）顔料、インダントロン（indanthrone）顔料、フラバントロン顔料、ピラントロン（pyranthrone）顔料又はジケトピロロピロール顔料等が挙げられる。
【００４２】
前記無機顔料としては、金属酸化物や金属錯塩等の金属化合物が挙げられ、具体的には、鉄、コバルト、アルミニウム、カドミウム、鉛、銅、チタン、マグネシウム、クロム、亜鉛、又はアンチモン等の金属の酸化物若しくは複合金属酸化物等が挙げられる。
【００４３】
特に、前記有機顔料及び無機顔料としては、具体的には、色指数（The society of Dyers and Colourists出版）でピグメントに分類されている化合物が挙げられる。より具体的には、以下のような色指数（Ｃ．Ｉ．）番号の顔料が挙げられるが、必ずしもこれらに限定されるものではない。
【００４４】
例えば、Ｃ．Ｉ．ピグメントオレンジ１３、３１、３６、３８、４０、４２、４３、５１、５５、５９、６１、６４、６５及び７１；Ｃ．Ｉ．ピグメントバイオレット１４、１９、２３、２９、３２、３３、３６、３７及び３８；Ｃ．Ｉ．ピグメントグリーン７、１０、１５、２５、３６、４７及び５８；Ｃ．Ｉ．ピグメントブラウン２８；等が挙げられる。
【００４５】
顔料は、必要に応じて、ロジン処理、酸性基又は塩基性基が導入された顔料誘導体等を用いた表面処理、高分子化合物等による顔料表面へのグラフト処理、硫酸微粒化法等による微粒化処理又は不純物を除去するための有機溶剤又は水等による洗浄処理、イオン交換法等によるイオン性不純物の除去処理等が施されていてもよい。
【００４６】
染料は、有機溶剤への溶解性を有するものであれば制限なく用いることができる。好ましくは、有機溶剤への溶解性を有し、且つアルカリ現像液への溶解性及び耐熱性、耐溶剤性等の信頼性を確保できる染料を用いることが好ましい。
【００４７】
前記染料としては、スルホン酸やカルボン酸等の酸性基を有する酸性染料、酸性染料と窒素含有化合物の塩、酸性染料のスルホンアミド体等とこれらの誘導体から選ばれるものを使用できる。その他にも、アゾ系、キサンテン系、フタロシアニン系の酸性染料及びこれらの誘導体も選択可能である。
【００４８】
好ましくは、前記染料は、カラーインデックス（The Society of Dyers and Colourists出版）で染料に分類されている化合物や、染色ノート（色染社）に記載されている公知の染料が挙げられる。
【００４９】
前記染料の具体例としては、Ｃ．Ｉ．ソルベント染料として、Ｃ．Ｉ．ソルベントイエロー４、１４、１５、２１、２３、２４、３８、６２、６３、６８、８２、９４、９８、９９、１６２等の黄色染料；Ｃ．Ｉ．ソルベントレッド８、４５、４９、１２２、１２５、１３０等の赤色染料；Ｃ．Ｉ．ソルベントオレンジ２、７、１１、１５、２６、５６等の橙色染料；Ｃ．Ｉ．ソルベントブルー３５、３７、５９、６７等の青色染料；Ｃ．Ｉ．ソルベントグリーン１、３、４、５、７、２８、２９、３２、３３、３４、３５等の緑色染料；等が挙げられる。
【００５０】
また、Ｃ．Ｉ．アシッド染料として、下記の染料が挙げられる。
【００５１】
例えば、Ｃ．Ｉ．アシッドイエロー１、３、７、９、１１、１７、２３、２５、２９、３４、３６、３８、４０、４２、５４、６５、７２、７３、７６、７９、９８、９９、１１１、１１２、１１３、１１４、１１６、１１９、１２３、１２８、１３４、１３５、１３８、１３９、１４０、１４４、１５０、１５５、１５７、１６０、１６１、１６３、１６８、１６９、１７２、１７７、１７８、１７９、１８４、１９０、１９３、１９６、１９７、１９９、２０２、２０３、２０４、２０５、２０７、２１２、２１４、２２０、２２１、２２８、２３０、２３２、２３５、２３８、２４０、２４２、２４３、２５１等の黄色染料が挙げられる。
【００５２】
また、Ｃ．Ｉ．アシッドレッド１、４、８、１４、１７、１８、２６、２７、２９、３１、３４、３５、３７、４２、４４、５０、５１、５２、５７、６６、７３、８０、８７、８８、９１、９２、９４、９７、１０３、１１１、１１４、１２９、１３３、１３４、１３８、１４３、１４５、１５０、１５１、１５８、１７６、１８２、１８３、１９８、２０６、２１１、２１５、２１６、２１７、２２７、２２８、２４９、２５２、２５７、２５８、２６０、２６１、２６６、２６８、２７０、２７４、２７７、２８０、２８１、１９５、３０８、３１２、３１５、３１６、３３９、３４１、３４５、３４６、３４９、３８２、３８３、３９４、４０１、４１２、４１７、４１８、４２２、４２６等の赤色染料が挙げられる。
【００５３】
さらに、Ｃ．Ｉ．アシッドオレンジ６、７、８、１０、１２、２６、５０、５１、５２、５６、６２、６３、６４、７４、７５、９４、９５、１０７、１０８、１６９、１７３等の橙色染料が挙げられる。
【００５４】
さらにまた、Ｃ．Ｉ．アシッドブルー１、７、９、１５、１８、２３、２５、２７、２９、４０、４２、４５、５１、６２、７０、７４、８０、８３、８６、８７、９０、９２、９６、１０３、１１２、１１３、１２０、１２９、１３８、１４７、１５０、１５８、１７１、１８２、１９２、２１０、２４２、２４３、２５６、２５９、２６７、２７８、２８０、２８５、２９０、２９６、３１５、３２４：１、３３５、３４０等の青色染料が挙げられる。
【００５５】
また、Ｃ．Ｉ．アシッドバイオレット６Ｂ、７、９、１７、１９等の紫色染料が挙げられる。
【００５６】
また、Ｃ．Ｉ．アシッドグリーン１、３、５、９、１６、２５、２７、５０、５８、６３、６５、８０、１０４、１０５、１０６、１０９などの緑色染料等が挙げられる。
【００５７】
さらに、Ｃ．Ｉ．ダイレクト染料として、下記の染料が挙げられる。
【００５８】
例えば、Ｃ．Ｉ．ダイレクトイエロー２、３３、３４、３５、３８、３９、４３、４７、５０、５４、５８、６８、６９、７０、７１、８６、９３、９４、９５、９８、１０２、１０８、１０９、１２９、１３６、１３８、１４１等の黄色染料が挙げられる。
【００５９】
また、Ｃ．Ｉ．ダイレクトレッド７９、８２、８３、８４、９１、９２、９６、９７、９８、９９、１０５、１０６、１０７、１７２、１７３、１７６、１７７、１７９、１８１、１８２、１８４、２０４、２０７、２１１、２１３、２１８、２２０、２２１、２２２、２３２、２３３、２３４、２４１、２４３、２４６、２５０等の赤色染料が挙げられる。
【００６０】
さらに、Ｃ．Ｉ．ダイレクトオレンジ３４、３９、４１、４６、５０、５２、５６、５７、６１、６４、６５、６８、７０、９６、９７、１０６、１０７等の橙色染料が挙げられる。
【００６１】
さらにまた、Ｃ．Ｉ．ダイレクトブルー３８、４４、５７、７０、７７、８０、８１、８４、８５、８６、９０、９３、９４、９５、９７、９８、９９、１００、１０１、１０６、１０７、１０８、１０９、１１３、１１４、１１５、１１７、１１９、１３７、１４９、１５０、１５３、１５５、１５６、１５８、１５９、１６０、１６１、１６２、１６３、１６４、１６６、１６７、１７０、１７１、１７２、１７３、１８８、１８９、１９０、１９２、１９３、１９４、１９６、１９８、１９９、２００、２０７、２０９、２１０、２１２、２１３、２１４、２２２、２２８、２２９、２３７、２３８、２４２、２４３、２４４、２４５、２４７、２４８、２５０、２５１、２５２、２５６、２５７、２５９、２６０、２６８、２７４、２７５、２９３等の青色染料が挙げられる。
【００６２】
また、Ｃ．Ｉ．ダイレクトバイオレット４７、５２、５４、５９、６０、６５、６６、７９、８０、８１、８２、８４、８９、９０、９３、９５、９６、１０３、１０４等の紫色染料が挙げられる。
【００６３】
また、Ｃ．Ｉ．ダイレクトグリーン２５、２７、３１、３２、３４、３７、６３、６５、６６、６７、６８、６９、７２、７７、７９、８２などの緑色染料等が挙げられる。
【００６４】
さらに、Ｃ．Ｉ．モルダント染料として、下記の染料が挙げられる。
【００６５】
例えば、Ｃ．Ｉ．モルダントイエロー５、８、１０、１６、２０、２６、３０、３１、３３、４２、４３、４５、５６、６１、６２、６５等の黄色染料が挙げられる。
【００６６】
また、Ｃ．Ｉ．モルダントレッド１、２、３、４、９、１１、１２、１４、１７、１８、１９、２２、２３、２４、２５、２６、３０、３２、３３、３６、３７、３８、３９、４１、４３、４５、４６、４８、５３、５６、６３、７１、７４、８５、８６、８８、９０、９４、９５等の赤色染料が挙げられる。
【００６７】
さらに、Ｃ．Ｉ．モルダントオレンジ３、４、５、８、１２、１３、１４、２０、２１、２３、２４、２８、２９、３２、３４、３５、３６、３７、４２、４３、４７、４８等の橙色染料が挙げられる。
【００６８】
さらにまた、Ｃ．Ｉ．モルダントブルー１、２、３、７、８、９、１２、１３、１５、１６、１９、２０、２１、２２、２３、２４、２６、３０、３１、３２、３９、４０、４１、４３、４４、４８、４９、５３、６１、７４、７７、８３、８４等の青色染料が挙げられる。
【００６９】
また、Ｃ．Ｉ．モルダントバイオレット１、２、４、５、７、１４、２２、２４、３０、３１、３２、３７、４０、４１、４４、４５、４７、４８、５３、５８等の紫色染料が挙げられる。
【００７０】
また、Ｃ．Ｉ．モルダントグリーン１、３、４、５、１０、１５、１９、２６、２９、３３、３４、３５、４１、４３、５３などの緑色染料等が挙げられる。
【００７１】
前記顔料ないし染料は、それぞれ１種以上を組み合わせて用いることができる。
【００７２】
色材（ａ１）は、固形分を基準として組成物の全重量に対し４０〜７０重量％で含むことができるが、これに制限されるものではない。
【００７３】
顔料分散組成物（Ａ）は、分散剤（ａ２）、分散助剤（ａ３）又は分散溶媒（ａ４）を含むことができ、保存安定性及び分散のし易さのために分散樹脂（ａ５）をさらに含むことができる。
【００７４】
（ａ２）分散剤
前記分散剤（ａ２）は、顔料の脱凝集及び安定性の維持のために添加されるものであり、当該分野において一般的に用いられるものを制限なく使用できる。例えば、カチオン系、アニオン系、ノニオン系、両性、ポリエステル系、ポリアミン系などの界面活性剤等が挙げられる。これらはそれぞれ単独に又は２種以上を組み合わせて用いることができる。
【００７５】
前記分散剤（ａ２）は、好ましくは、ブチルメタアクリレート（ＢＭＡ）又はＮ，Ｎ−ジメチルアミノエチルメタアクリレート（ＤＭＡＥＭＡ）を含むアクリレート系分散剤（以下、アクリレート系分散剤という。）を含むのが良い。前記アクリレート系分散剤の市販品としては、ＤＩＳＰＥＲ ＢＹＫ−２０００、ＤＩＳＰＥＲ ＢＹＫ−２００１、ＤＩＳＰＥＲ ＢＹＫ−２０７０又はＤＩＳＰＥＲ ＢＹＫ−２１５０等が挙げられる。前記アクリレート系分散剤は、それぞれ単独に又は２種以上を組み合わせて用いることができる。
【００７６】
本発明による分散剤（ａ２）は、前記したアクリレート系分散剤以外に、他の樹脂タイプの顔料分散剤を用いることもできる。前記他の樹脂タイプの顔料分散剤としては、公知の樹脂タイプの顔料分散剤、特に、ポリウレタン、ポリアクリレートに代表されるポリカルボン酸エステル、不飽和ポリアミド、ポリカルボン酸、ポリカルボン酸のアミン塩、ポリカルボン酸のアンモニウム塩、ポリカルボン酸のアルキルアミン塩、ポリシロキサン、長鎖ポリアミノアミドホスフェート塩、ヒドロキシル基が置換されたポリカルボン酸のエステル及びこれらの改質生成物、フリー（free）カルボキシル基を有するポリエステルとポリ（低級アルキレンイミン）との反応により形成されたアミドまたはこれらの塩、（メタ）アクリル酸−スチレンコポリマー、（メタ）アクリル酸−（メタ）アクリレートエステルコポリマー、スチレン−マレイン酸コポリマー、ポリビニルアルコール、ポリビニルピロリドンのような水溶性樹脂または水溶性ポリマー化合物；ポリエステル；改質ポリアクリレート；エチレンオキサイド／プロピレンオキサイドの付加生成物及びリン酸エステル等が挙げられる。
【００７７】
前記樹脂タイプの顔料分散剤の市販品としては、カチオン系樹脂分散剤として、例えば、ＢＹＫ（ビック・ケミ）社のＤＩＳＰＥＲ ＢＹＫ−１６０、ＤＩＳＰＥＲ ＢＹＫ−１６１、ＤＩＳＰＥＲ ＢＹＫ−１６２、ＤＩＳＰＥＲ ＢＹＫ−１６３、ＤＩＳＰＥＲ ＢＹＫ−１６４、ＤＩＳＰＥＲ ＢＹＫ−１６６、ＤＩＳＰＥＲ ＢＹＫ−１７１、ＤＩＳＰＥＲ ＢＹＫ−１８２、ＤＩＳＰＥＲ ＢＹＫ−１８４；ＢＡＳＦ社のＥＦＫＡ−４４、ＥＦＫＡ−４６、ＥＦＫＡ−４７、ＥＦＫＡ−４８、ＥＦＫＡ−４０１０、ＥＦＫＡ−４０５０、ＥＦＫＡ−４０５５、ＥＦＫＡ−４０２０、ＥＦＫＡ−４０１５、ＥＦＫＡ−４０６０、ＥＦＫＡ−４３００、ＥＦＫＡ−４３３０、ＥＦＫＡ−４４００、ＥＦＫＡ−４４０６、ＥＦＫＡ−４５１０、ＥＦＫＡ−４８００；Ｌｕｂｉｒｚｏｌ社のＳＯＬＳＰＥＲＳ−２４０００、ＳＯＬＳＰＥＲＳ−３２５５０、ＮＢＺ−４２０４／１０；川研ファインケミカル社のヒノアクト（ＨＩＮＯＡＣＴ） Ｔ−６０００、ヒノアクト Ｔ−７０００、ヒノアクト Ｔ−８０００；味の素ファインテクノ社のアジスパー（ＡＪＩＳＰＵＲ）ＰＢ−８２１、アジスパー ＰＢ−８２２、アジスパー ＰＢ−８２３；共栄社化学社のフローレン（ＦＬＯＲＥＮＥ）ＤＯＰＡ−１７ＨＦ、フローレン ＤＯＰＡ−１５ＢＨＦ、フローレン ＤＯＰＡ−３３、フローレン ＤＯＰＡ−４４等が挙げられる。
【００７８】
前記したアクリレート系分散剤以外の他の樹脂タイプの顔料分散剤は、それぞれ単独に又は２種以上を混合して用いることができ、アクリレート系分散剤と併用して用いることもできる。
【００７９】
分散剤（ａ２）は、顔料（ａ１）の固形分１００重量部に対して１〜５０重量部、好ましくは５〜３０重量部で含むことができる。顔料分散剤の含量が前記範囲内であると、均一な粒径の分散した顔料が得られるので好ましい。分散剤（ａ２）の含量が５０重量部を超えると、粘度が高くなることがあり、１重量部未満であると、顔料の微粒化が困難であり、又は分散後のゲル化等の問題が生じることがある。
【００８０】
（ａ３）分散助剤
分散助剤とは、顔料を微細な粒子に分散してその再凝集を防止する役割を果たす製剤をいう。前記分散助剤は、コントラスト比が高く、かつ透過度に優れたカラーフィルタを構成するのに有効である。
【００８１】
分散助剤としては、特に限定されることなく、例えば、下記化学式１で表される分散化合物を用いることができる。
【００８２】
【化１】
0006775304.tif 000002
（式中、Ｒ１〜Ｒ４は、互いに独立して、水素、−ＯＨまたは−ＮＨ−Ｒ９であり、
前記Ｒ５〜Ｒ８は、互いに独立して、水素、ハロゲンまたはＳＯ３−であり、
前記Ｒ９は、水素、炭素数１〜８の線状又は非線状のアルキル基、若しくは下記化学式２で表される置換基である。）
【００８３】
【化２】
0006775304.tif 000003
（式中、Ｒ１０〜Ｒ１４は、互いに独立して、水素原子、炭素数１〜４の線状又は非線状のアルキル基、ＳＯ３−、若しくは化学式３で表される置換基である。）
【００８４】
【化３】
0006775304.tif 000004
（式中、Ｒ１５は、水素原子、ＣＯＲ１６、炭素数１〜８の線状又は非線状のアルキル基、若しくは炭素数４〜１８の飽和又は不飽和環であり、
Ｒ１６は、水素原子又は炭素数１〜８のアルキル基である。）
【００８５】
化学式１で表される化合物は、特に限定されることなく、例えば、１，８−ジアミノ−４，５−ジヒドロキシアントラキノン、１，５−ビス｛［２−（ジエチルアミノ）エチル］アミノ｝アントラ−９，１０−キノン、１，８−ビス（ベンズアミド）アントラキノン、１，４−ビス｛［２−（４−ヒドロキシフェニル）エチル］アミノ｝アントラ−９，１０−キノン、１，４−ビス｛［２−（ジメチルアミノ）エチル］アミノ｝−５，８−ジヒドロキシアントラ−９，１０−キノン、１，８−ジヒドロキシ−４−［４−（２−ヒドロキシエチル）アニリノ］−５−ニトロアントラ−９，１０−キノン、１，４−ジヒドロキシアントラキノン、１，４−ビス（４−ブチルアニリノ）−５，８−ジヒドロキシアントラキノン、４’−（４−ヒドロキシ−１−アントラキノニルアミノ）−アセトアニリド、１，４−ビス［（２，６−ジエチル−４−メチルフェニル）アミノ］アントラキノン、１，４−ビス（ブチルアミノ）−９，１０−アントラセンジオン、１，４−ビス（４−ブチルアニリノ）−５，８−ジヒドロキシアントラキノン、１，５−ビス［（３−メチルフェニル）アミノ］−９，１０−アントラセンジオン、１，５−ジシクロヘキシルアミノアントラキノン、１，４−ビス（イソプロピルアミノ）アントラキノン、１，４−ビス（メチルアミノ）アントラキノン、１，４−ビス（２，６−ジエチル−４−メチルアニリノ）アントラキノン、２，２’−（９，１０−ジオキソアントラセン−１，４−ジイルジイミノ）ビス（５−メチルスルホネート）、１−アニリノ−４−ヒドロキシアントラキノン、１−ヒドロキシ−４−［（４−メチルフェニル）アミノ］−９，１０−アントラセンジオン、１，４−ビス（パラ−トリルアミノ）アントラキノン、１−アミノ−４−フェニルアミノアントラキノン、Ｎ−［４−［（４−ヒドロキシ−アントラキノ−１−ニル）アミノ］フェニル］アセトアマイド、１−（メチルアミノ）−４−（４−メチルアニリノ）アントラセン−９，１０−ジオン、または１，４，５，８−テトラヒドロキシアントラキノン等が挙げられる。これらは単独に又は２種以上混合して用いることができる。
【００８６】
本発明による分散助剤（ａ３）は、市販の分散助剤をさらに含むことができる。具体的には、Ｌｕｂｒｉｚｏｌ社のＳＯＬＳＰＥＲＳＥ−５０００、ＳＯＬＳＰＥＲＳＥ−１２０００、ＳＯＬＳＰＥＲＳＥ−２２０００、ＢＹＫ社のＢＹＫ−ＳＹＮＥＲＧＩＳＴ ２１００、ＢＹＫ−ＳＩＮＥＲＧＩＳＴ ２１０５；ＢＡＳＦ社のＥＦＫＡ−６７４５、ＥＦＫＡ−６７５０等が挙げられる。これらは単独に又は２種以上混合して用いることができる。
【００８７】
分散助剤（ａ３）は、顔料（ａ１）の固形分１００重量部に対して１〜３０重量部で含むことができる。分散助剤（ａ３）の含量が３０重量部を超えると、顔料固有の色が変質し、カラーフィルタの製造工程時にハードベークによって変色する問題点がある。
【００８８】
（ａ４）分散溶媒
分散溶媒（ａ４）は、特に制限されず、当該分野で用いられている各種の有機溶剤を用いることができる。
【００８９】
具体例としては、ジエチレングリコールジアルキルエーテル類、エチレングリコールアルキルエーテルアセテート類、アルキレングリコールアルキルエーテルアセテート類、芳香族炭化水素類、ケトン類、アルコール類、環状エステル類等が挙げられる。好ましくは、アルキレングリコールアルキルエーテルアセテート類、ケトン類、３−エトキシプロピオン酸エチルや３−メトキシプロピオン酸メチル等のエステル類を使用できる。より好ましくは、プロピレングリコールモノメチルエーテルアセテート、プロピレングリコールモノエチルエーテルアセテート、シクロヘキサノン、３−エトキシプロピオン酸エチル、３−メトキシプロピオン酸メチル等を使用できる。これらは単独に又は２種以上混合して使用できる。
【００９０】
分散溶媒（ａ４）は、顔料分散組成物の全重量に対して５０〜９０重量％で含むことができ、好ましくは７０〜８５重量％で含むことができる。含量が５０重量％未満であるか、又は９０重量％を超えると、顔料分散組成物の保存安定性が不良になる欠点がある。
【００９１】
（ａ５）分散樹脂
分散樹脂（ａ５）は、色材（ａ１）の分散媒として作用するものであり、選択的に添加することができる。分散剤（ａ２）の単独使用よりも分散樹脂（ａ５）との混合使用の方が、より優れた顔料分散組成物の製造が可能である。
【００９２】
分散樹脂としては、分散媒として作用可能なものであれば制限なく使用できるが、顔料分散組成物から製造される着色感光性樹脂組成物の現像性を考慮して、アルカリ現像液への溶解性を有するために酸価のあるものが好ましい。ここで、酸価とは、アクリル系重合体１ｇを中和するために必要な水酸化カリウムの量（ｍｇ）として測定される値であり、通常、水酸化カリウム水溶液を用いて滴定することにより求めることができる。
【００９３】
酸価のある分散樹脂は、カルボキシル基と不飽和結合を有する化合物（ｂ１）、及びこれと共重合が可能な不飽和結合を有する化合物（ｂ２）を共重合して製造したものであってもよいが、これに限定されるものではない。
【００９４】
カルボン酸基と不飽和結合を有する化合物（ｂ１）の具体例としては、アクリル酸、メタアクリル酸、クロトン酸などのモノカルボン酸類；フマル酸、メサコン酸、イタコン酸などのジカルボン酸類；および、これらのジカルボン酸の無水物；ω−カルボキシポリカプロラクトンモノ（メタ）アクリレートなどの両末端にカルボキシル基と水酸基を有するポリマーのモノ（メタ）アクリレート類；等が挙げられるが、アクリル酸、メタアクリル酸が好ましい。これらは単独に又は２種以上混合して用いることができる。
【００９５】
前記化合物（ｂ１）と共重合が可能な不飽和結合を有する化合物（ｂ２）の具体例としては下記のものが挙げられるが、これらに限定されるものではない。
【００９６】
芳香族ビニル化合物、アルキル（メタ）アクリレート類、脂環族（メタ）アクリレート類、アリール（メタ）アクリレート類、ヒドロキシアルキル（メタ）アクリレート類、Ｎ−置換マレイミド系化合物、不飽和アミド化合物、不飽和オキセタン化合物等が挙げられる。これらは単独に又は２種以上混合して用いることができる。
【００９７】
分散樹脂（ａ５）は、色材（ａ１）の固形分１００重量部に対して、例えば、１〜５０重量部で含むことができ、好ましくは５〜４０重量部で含むことができる。分散樹脂（ａ５）の含量が５０重量部を超えると、粘度が高くなることがあり、１重量部未満であると、分散樹脂の量が不十分で、微粒化した顔料分散組成物を得ることができない。
【００９８】
顔料分散組成物（Ａ）は、赤外線透過感光性樹脂組成物の固形分の全重量に対して１０〜８０重量％、好ましくは１０〜７０重量％の範囲で含むことができる。
【００９９】
（Ｂ）アルカリ可溶性樹脂
アルカリ可溶性樹脂（Ｂ）は、下記化学式４〜７のモノマーを含んで重合したものであってもよい。
【０１００】
【化４】
0006775304.tif 000005
【０１０１】
【化５】
0006775304.tif 000006
【０１０２】
【化６】
0006775304.tif 000007
【０１０３】
【化７】
0006775304.tif 000008
【０１０４】
化学式４〜７のモノマーは、アルカリ可溶性樹脂（Ｂ）に含まれて重合される全モノマーに対して３〜８０モル％で含んで重合でき、好ましくは５〜７０モル％で含んで重合できる。モノマーのモル％が前記範囲内であると、現像工程中にパターンの剥離がなく、感度、密着性及び耐溶剤性に優れたパターンを製造できる。
【０１０５】
本発明によるアルカリ可溶性樹脂（Ｂ）は、化学式４〜７のモノマーと共重合可能なモノマーをさらに含んで重合されたものであってもよい。
【０１０６】
例えば、芳香族ビニル化合物等のアルキル（メタ）アクリレート類；脂環族（メタ）アクリレート類；アリール（メタ）アクリレート類；ヒドロキシアルキル（メタ）アクリレート類；Ｎ−置換マレイミド系化合物；不飽和アミド化合物；不飽和オキセタン化合物等が挙げられる。これらは単独に又は２種以上を混合して用いることができる。
【０１０７】
本発明によるアルカリ可溶性樹脂（Ｂ）は、必要に応じて、当該分野で一般的に用いられる公知の様々な他のアルカリ可溶性樹脂をさらに混合して用いることができる。
【０１０８】
アルカリ可溶性樹脂（Ｂ）は、ポリスチレン換算の重量平均分子量が３，０００〜１００，０００であってもよく、好ましくは５，０００〜５０，０００であってもよい。アルカリ可溶性樹脂の重量平均分子量が３，０００未満であるか、又は１００，０００を超えると、現像時に膜の減少が防止されず、パターン部の欠落が起こることがある。
【０１０９】
アルカリ可溶性樹脂（Ｂ）の酸価は、５０〜１５０ＫＯＨ ｍｇ／ｇであってもよい。アルカリ可溶性樹脂（Ｂ）の酸価が前記範囲内であると、現像液への溶解性及び残膜率が向上するため好ましい。好ましくは６０〜１４０ＫＯＨ ｍｇ／ｇ、より好ましくは８０〜１３５ＫＯＨ ｍｇ／ｇであり、さらに好ましくは８０〜１３０ＫＯＨ ｍｇ／ｇである。ここで、酸価とは、アクリル系重合体１ｇを中和するために必要な水酸化カリウムの量（ｍｇ）として測定される値であり、通常、水酸化カリウム水溶液を用いて滴定することにより求めることができる。
【０１１０】
アルカリ可溶性樹脂（Ｂ）は、赤外線透過感光性樹脂組成物の固形分の全重量に対して１０〜８０重量％、好ましくは１０〜７０重量％で含むことができる。含量が前記範囲内であると、現像液の溶解性が十分でパターン形成が容易であり、現像時に露光部の画素部の膜の減少が防止され、非画素部の欠落性が良好となるので好ましい。
【０１１１】
（Ｃ）光重合性化合物
光重合性化合物（Ｃ）は、後述する光重合開始剤の作用で重合可能な化合物であれば特に限定されないが、好ましくは、単官能光重合性化合物、２官能光重合性化合物、または３官能以上の多官能光重合性化合物などが挙げられる。
【０１１２】
単官能単量体の具体例としては、ノニルフェニルカルビトールアクリレート、２−ヒドロキシ−３−フェノキシプロピルアクリレート、２−エチルヘキシルカルビトールアクリレート、２−ヒドロキシエチルアクリレート、Ｎ−ビニルピロリドン等が挙げられる。市販品としては、アロニックス Ｍ−１０１（東亜合成社製）、ＫＡＹＡＲＡＤ ＴＣ−１１０Ｓ（日本化薬社製）、またはビスコート１５８（大阪有機化学工業社製）等が挙げられる。
【０１１３】
２官能単量体の具体例としては、１，６−ヘキサンジオールジ（メタ）アクリレート、エチレングリコールジ（メタ）アクリレート、ネオペンチルグリコールジ（メタ）アクリレート、トリエチレングリコールジ（メタ）アクリレート、ビスフェノールＡのビス（アクリロイルオキシエチル）エーテル、３−メチルペンタンジオールジ（メタ）アクリレートなどが挙げられる。市販品としては、アロニックス Ｍ−２１０、Ｍ−１１００、１２００（東亜合成社製）、ＫＡＹＡＲＡＤ ＨＤＤＡ（日本化薬社製）、ビスコート２６０（大阪有機化学工業社製）、ＡＨ−６００、ＡＴ−６００、またはＵＡ−３０６Ｈ（共栄社化学社製）等が挙げられる。
【０１１４】
３官能以上の多官能光重合性化合物の具体例としては、トリメチロールプロパントリ（メタ）アクリレート、エトキシル化トリメチロールプロパントリ（メタ）アクリレート、 プロポキシル化トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、エトキシル化ジペンタエリスリトールヘキサ（メタ）アクリレート、プロポキシル化ジペンタエリスリトールヘキサ（メタ）アクリレート、ジペンタエリスリトールヘキサ（メタ）アクリレートなどがある。市販品としては、アロニックス Ｍ−３０９、Ｍ−５２０（東亜合成社製）、ＫＡＹＡＲＡＤ ＴＭＰＴＡ、ＫＡＹＡＲＡＤ ＤＰＨＡまたはＫＡＹＡＲＡＤ ＤＰＨＡ−４０Ｈ（日本化薬社製）等が挙げられる。
【０１１５】
３官能以上の（メタ）アクリル酸エステル類及びウレタン（メタ）アクリレートが、重合性に優れ、強度を向上できる点で特に好ましい。
【０１１６】
前記で例示した光重合性化合物（Ｃ）は、単独に又は２種以上混合して用いることができる。
【０１１７】
光重合性化合物（Ｃ）は、赤外線透過感光性樹脂組成物の固形分の全重量に対して５〜４５重量％含むことができ、好ましくは７〜４５重量％で含むことができる。含量が前記範囲内であると、画素部の強度や平滑性が良好となるので好ましい。
【０１１８】
（Ｄ）光重合開始剤
光重合開始剤（Ｄ）は、光重合性化合物（Ｃ）を重合できるものであればその種類を特に制限することなく使用できる。
【０１１９】
特に、前記光重合開始剤（Ｄ）は、重合特性、開始効率、吸収波長、入手性またはコスト等の観点で、アセトフェノン系化合物、ベンゾフェノン系化合物、トリアジン系化合物、ビイミダゾール系化合物、オキシム化合物およびチオキサントン系化合物からなる群より選択される１種以上の化合物を使用することが好ましい。
【０１２０】
また、本発明の効果を損なわない範囲内で、前記以外の光重合開始剤等をさらに併用してもよい。例えば、ベンゾイン系化合物又はアントラセン系化合物等が挙げられる。これらはそれぞれ単独に又は２種以上を組み合わせて使用できる。
【０１２１】
また、前記光重合開始剤（Ｄ）は、本発明の赤外線透過感光性樹脂組成物の感度を向上させるために、光重合開始助剤（Ｃ−１）をさらに含むことができる。本発明による赤外線透過感光性樹脂組成物は、光重合開始助剤（Ｄ−１）を含むことにより、感度がさらに増加し、生産性を向上できる。
【０１２２】
前記光重合開始助剤（Ｄ−１）としては、例えば、アミン化合物、カルボン酸化合物及びチオール基を有する有機硫黄化合物からなる群より選ばれる１種以上の化合物を好ましく用いることができる。
【０１２３】
光重合開始剤（Ｄ）は、赤外線透過感光性樹脂組成物の固形分の全重量に対して０．１〜４０重量％、好ましくは１〜３０重量％含むことができる。含量が前記範囲内であると、赤外線透過感光性樹脂組成物が高感度化して露光時間が短縮するので生産性が向上し、高解像度を維持できるため好ましい。また、前述した条件の組成物を用いて形成した画素部の強度及び前記画素部の表面での平滑性が良好になり得る。
【０１２４】
また、前記光重合開始助剤（Ｄ−１）を追加的に使用する場合、前記光重合開始剤（Ｄ）と同じ含量の範囲内で使用することが好ましく、前述した含量で使用した場合、赤外線透過感光性樹脂組成物の感度がさらに増加し、前記組成物を用いて形成されるカラーフィルタの生産性が向上する効果をもたらす。
【０１２５】
（Ｅ）溶剤
溶剤（Ｅ）は、赤外線透過感光性樹脂組成物に含まれる他の成分を溶解させるのに効果的なものであれば、通常の半導体用フォトレジストにおいて用いられる溶剤を特に制限なく使用でき、特に、エーテル類、芳香族炭化水素類、ケトン類、アルコール類、エステル類、またはアミド類などが好ましい。
【０１２６】
溶剤（Ｅ）は、具体的には、エーテル類、芳香族炭化水素類、ケトン類、アルコール類、エステル類等が挙げられる。
【０１２７】
溶剤（Ｅ）は、塗布性及び乾燥性の点で、沸点が１００℃〜２００℃の有機溶剤が好ましく、例えば、プロピレングリコールモノメチルエーテルアセテート、プロピレングリコールモノエチルエーテルアセテート、シクロヘキサノン、乳酸エチル、乳酸ブチル、３−エトキシプロピオン酸エチル、３−メトキシプロピオン酸メチル等が挙げられる。これらは単独に又は２種以上混合して用いることができる。
【０１２８】
溶剤（Ｅ）は、赤外線透過感光性樹脂組成物の固形分１００重量部に対して１００〜３００重量部、好ましくは１５０〜２５０重量部で含むことができる。
【０１２９】
＜赤外線透過画素、カラーフィルタアレイ及びイメージセンサ＞
本発明は、前記赤外線透過感光性樹脂組成物から製造された赤外線透過画素を提供する。
【０１３０】
前記赤外線透過画素は、例えば、赤外線透過感光性樹脂組成物を以下のように基材上に塗布し、光硬化及び現像してパターンを形成することにより製造したものであってもよい。
【０１３１】
まず、赤外線透過用感光性樹脂組成物を基板（通常は、Silicon）、又は先に形成された着色感光性樹脂組成物の固形分からなる層上に塗布後、加熱乾燥することにより溶剤等の揮発成分を除去し、平滑な塗膜を得る。
【０１３２】
塗布方法としては、例えば、スピンコート、流延塗布法、ロール塗布法、スリットアンドスピンコート、又はスリットコート法等が挙げられる。塗布後、加熱乾燥（プリベーク）又は減圧乾燥後に加熱し、溶剤等の揮発成分を揮発させる。ここで、加熱温度は、通常７０〜２００℃、好ましくは８０〜１３０℃である。加熱乾燥後の塗膜の厚さは、通常０．５〜１．５μｍ程度である。このようにして得られた塗膜に、目的とするパターンを形成するためのマスクを介して紫外線を照射する。このとき、露光部全体に均一に平行光線が照射され、またマスクと基板との正確な位置合わせが行われるように、マスクアライナーやステッパ等の装置を用いることが好ましい。紫外線を照射すると、紫外線が照射された部位の硬化が行われる。
【０１３３】
前記紫外線としては、ｇ線（波長：４３６ｎｍ）、ｈ線、ｉ線（波長：３６５ｎｍ）等を用いることができる。紫外線の照射量は、必要に応じて適宜選択できるものであり、本発明はこれを限定しない。硬化が終了した塗膜を現像液に接触させて、非露光部を溶解させて現像すると、目的とする形状を有するパターンが得られる。
【０１３４】
前記現像方法は、液添加法、ディッピング法、スプレー法等のいずれであってもよい。また、現像の際に基板を任意の角度に傾斜させてもよい。前記現像液は、通常、アルカリ性化合物及び界面活性剤を含有する水溶液である。前記アルカリ性化合物は、無機及び有機のアルカリ性化合物のいずれであってもよい。無機アルカリ性化合物の具体例としては、水酸化ナトリウム、水酸化カリウム、リン酸水素二ナトリウム、リン酸二水素ナトリウム、リン酸水素二アンモニウム、リン酸二水素アンモニウム、リン酸二水素カリウム、ケイ酸ナトリウム、ケイ酸カリウム、炭酸ナトリウム、炭酸カリウム、炭酸水素ナトリウム、炭酸水素カリウム、ホウ酸ナトリウム、ホウ酸カリウム、アンモニア等が挙げられる。また、有機アルカリ性化合物の具体例としては、テトラメチルアンモニウムヒドロキシド、２−ヒドロキシエチルトリメチルアンモニウムヒドロキシド、モノメチルアミン、ジメチルアミン、トリメチルアミン、モノエチルアミン、ジエチルアミン、トリエチルアミン、モノイソプロピルアミン、ジイソプロピルアミン、エタノールアミン等が挙げられる。
【０１３５】
これらの無機及び有機のアルカリ性化合物は、それぞれ単独に又は２種以上組み合わせて用いることができる。アルカリ現像液中のアルカリ性化合物の濃度は、好ましくは０．０１〜１０質量％であり、より好ましくは０．０３〜５質量％である。
【０１３６】
前記アルカリ現像液中の界面活性剤は、ノニオン系界面活性剤、アニオン系界面活性剤、又はカチオン系界面活性剤からなる群より選ばれる少なくとも一つを用いることができる。
【０１３７】
前記ノニオン系界面活性剤の具体例としては、ポリオキシエチレンアルキルエーテル、ポリオキシエチレンアリールエーテル、ポリオキシエチレンアルキルアリールエーテル、その他のポリオキシエチレン誘導体、オキシエチレン／オキシプロピレンブロック共重合体、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン等が挙げられる。
【０１３８】
前記アニオン系界面活性剤の具体例としては、ラウリルアルコール硫酸エステルナトリウム又はオレイルアルコール硫酸エステルナトリウム等の高級アルコール硫酸エステル塩類、ラウリル硫酸ナトリウム又はラウリル硫酸アンモニウム等のアルキル硫酸塩類、ドデシルベンゼンスルホン酸ナトリウム又はドデシルナフタレンスルホン酸ナトリウム等のアルキルアリールスルホン酸塩類等が挙げられる。
【０１３９】
前記カチオン系界面活性剤の具体例としては、ステアリルアミン塩酸塩やラウリルトリメチルアンモニウムクロリド等のアミン塩又は４級アンモニウム塩等が挙げられる。これらの界面活性剤は、単独に又は２種以上組み合わせて用いることができる。
【０１４０】
前記現像液中の界面活性剤の濃度は、通常０．０１〜１０質量％、好ましくは０．０５〜８質量％、より好ましくは０．１〜５質量％である。現像後、水洗し、また必要に応じて１５０〜２３０℃で３〜１０分のポストベークを行うこともできる。
【０１４１】
本発明の赤外線透過画素は、可視光線領域で低い透過率を示し、かつ高い赤外線透過率を示す。具体的には、赤外線透過画素の膜厚が１μｍである場合、波長３９０ｎｍでの透過率が１０％以下であり、６５０ｎｍで４０％以下であり、７２０ｎｍ〜１１００ｎｍの領域での透過率が９０％以上であり得る。
【０１４２】
また、本発明は、前記赤外線透過画素を含むカラーフィルタアレイ及びこれを含むイメージセンサを提供する。
【０１４３】
したがって、このようにして得られるパターンは、イメージセンサのカラーフィルタアレイに有用に用いることができ、可視光線の遮蔽性及びＩＲ透過性に優れているだけでなく、低露光量でも架橋密度が高く、基板への密着性に優れ、耐熱性及び化学的安定性（耐溶媒性）に優れた利点を有する。
【０１４４】
以下、本発明の理解を助けるために、好適な実施例を示すが、これらの実施例は本発明を例示するに過ぎず、添付された特許請求の範囲を制限するわけではなく、本発明の範疇及び技術思想の範囲内において実施例に対し変更が多様であること且つ修正が可能であることは、当業者にとって明らかなことであり、このような変更及び修正が添付された特許請求の範囲に属するのも当然のことである。
【０１４５】
合成例１．アルカリ可溶性樹脂（Ｂ）の合成
攪拌機、温度計、還流冷却管、滴下ロート及び窒素導入管を備えたフラスコを用意した。その一方で、モノマー滴下ロートで、３，４−エポキシトリシクロデカン−８−イル（メタ）アクリレートと３，４−エポキシトリシクロデカン−９−イル（メタ）アクリレートとの混合物（５０:５０のモル比）４０重量部、メチルメタクリレート５０重量部、アクリル酸４０重量部、ビニルトルエン７０重量部、ｔ−ブチルパーオキシ−２−エチルヘキサノエート４重量部、プロピレングリコールモノメチルエーテルアセテート（ＰＧＭＥＡ）４０重量部を投入後、攪拌混合して混合液を用意した。また、連鎖移動剤の滴下槽として、ｎ−ドデカンチオール６重量部、ＰＧＭＥＡ２４重量部を入れて撹拌混合したものを準備した。
【０１４６】
その後、フラスコにＰＧＭＥＡ３９５重量部を導入し、フラスコ内の雰囲気を空気から窒素にした後、攪拌しながらフラスコの温度を９０℃まで昇温した。次いで、モノマー及び連鎖移動剤を滴下ロートからフラスコに滴下し始めた。滴下は、９０℃を維持しながら、それぞれ２時間進行し、１時間後に１１０℃に昇温して５時間維持した。これにより、固形分の酸価が１００ｍｇＫＯＨ／ｇの樹脂Ａ−１を得た。ＧＰＣにより測定したポリスチレン換算の重量平均分子量は１５，０００ｇ／ｍｏｌであり、分子量分布（Ｍｗ／Ｍｎ）は１．９であった。
【０１４７】
前記アルカリ可溶性樹脂の重量平均分子量Ｍｗ及び数平均分子量Ｍｎの測定は、ＧＰＣ法を用いて、以下の条件で行った。
装置：ＨＬＣ−８１２０ＧＰＣ（東ソー（株）製）
カラム：ＴＳＫ−ＧＥＬＧ４０００ＨＸＬ＋ＴＳＫ−ＧＥＬＧ２０００ＨＸＬ（直列接続）
カラム温度：４０℃
移動相溶媒：テトラヒドロフラン
流速：１．０ｍＬ／ｍｉｎ
注入量：５０μＬ
検出器：ＲＩ
測定試料濃度：０．６質量％（溶媒：テトラヒドロフラン）
校正用標準物質：ＴＳＫ ＳＴＡＮＤＡＲＤ ＰＯＬＹＳＴＹＲＥＮＥ Ｆ−４０、Ｆ−４、Ｆ−１、Ａ−２５００、Ａ−５００（東ソー（株）製）
【０１４８】
前記で得られた重量平均分子量及び数平均分子量の比を分子量分布（Ｍｗ／Ｍｎ）とした。
【０１４９】
製造例．顔料分散組成物の製造
下記表１の記載に従い、製造例１〜４及び比較製造例１〜５の顔料分散組成物を調製した。具体的には、下記表１に記載の重量部で顔料分散組成物を調製した。表１に記載の重量部の色材と分散樹脂（メタクリル酸とベンジルメタクリレートとの共重合体であり、メタクリル酸単位とベンジルメタクリレート単位との比は、モル比として３１:６９で、ポリスチレン換算の重量平均分子量は１５，０００である。）、分散剤と分散助剤としてのアジスパー ＰＢ−８２１（味の素ファインテクノ社製）とＢＹＫ−１８０（ＢＹＫ社製）、及び分散溶媒としてのプロピレングリコールモノメチルエーテルアセテート（ＰＧＭＥＡ）を、ビーズミルにより２時間混合及び分散し、顔料分散組成物を調製した。
【０１５０】
【表１】
0006775304.tif 000009
【０１５１】
実施例及び比較例
下記表２の記載に従い、ブラックマトリックス用の感光性樹脂組成物を製造した。具体的には、前記合成例１で製造したアルカリ可溶性樹脂、前記製造例で調製した顔料分散組成物、光重合性化合物（ＫＡＹＡＲＡＤ ＤＰＨＡ、日本化薬社製）、光重合性開始剤（Ｉｒｇａｃｕｒｅ ＯＸＥ０１、ＢＡＳＦ社製）、および溶剤（プロピレングリコールモノメチルエーテルアセテート、ＰＧＭＥＡ）を混合し、表２の重量部で実施例及び比較例の赤外線透過感光性樹脂組成物を調製した。
【０１５２】
【表２】
0006775304.tif 000010
【０１５３】
前記実施例及び比較例の赤外線透過感光性樹脂組成物により、シリコンウエハ上にパターンを形成した。具体的には、前記各々の赤外線透過感光性樹脂組成物をスピンコート法によりシリコンウエハ上に塗布した後、加熱板の上に乗せ、１００℃の温度で９０秒間維持し、薄膜を形成した。次いで、前記薄膜の上に、透過率を１〜１００％の範囲で階段状に変化させるパターン及び１．５μｍ、２．０μｍの正方形のパターンを有するフォトマスクを適用して紫外線を照射した。このとき、露光はｉ−ｌｉｎｅ Ｓｔｅｐｐｅｒを用いて行った。前記紫外線が照射された薄膜を０．４〜０．１％ＴＭＡＨ水溶液の現像溶液に１分間浸漬して現像した。前記薄膜が塗布されたシリコンウエハを、蒸留水を用いて洗浄後、２２０℃の加熱炉で３分間加熱し、パターンを製造した。前記で製造されたパターンの厚さは１.０μｍであった。
【０１５４】
実験例
前記のようにして得られたパターンに対して、下記のような物性評価を行い、その結果を下記表３に示した。
【０１５５】
１．可視光及び赤外線の透過率
製造されたパターンの３００ｎｍ〜１１００ｎｍにおける透過率を測定した。そして、赤外線７２０ｎｍにおける透過率を測定し、その結果を下記表３に示した。
【０１５６】
２．パターン形状及び残渣
前記で得られたパターンを、ＣＤ−ＳＥＭ（８１００ＸＰ；ＫＬＡ−Ｔｅｎｃｏｒ製）を用いてパターンサイズを測定し、パターンの直線性、残渣、及びパターンの垂れを観察し、下記表３に示した。
＜評価基準＞
・パターンの直線性
１：非常に不良、２：不良、３：普通、４：良好、５：非常に良好
・残渣
１：非常に不良、２：不良、３：普通、４：良好、５：非常に良好
【０１５７】
【表３】
0006775304.tif 000011
【０１５８】
前記表３から、実施例の組成物から製造された赤外線透過画素は、可視光透過率は低くなっており、赤外線透過率は高くなっていることが分かる。また、パターンの直線性に優れ、かつ残渣が生じていないことが確認できる。
【０１５９】
これに対し、比較例の組成物から製造された画素は、可視光透過率が高くなっているか、又は赤外線透過率が低くなっている。また、比較例４及び５の場合は、特にパターンの直線性が低く、残渣が生じている。
【図１】
0006775304.tif 000012